(57)【要約】【課題】より現実に近い状態で実習することができる。【解決手段】歯科用マネキン1は、人間の胴部を模した胴状部２と、人間の上肢を模して胴状部２の側部に着脱可能に設けられた一対の上肢状部３と、人間の下肢を模して胴状部２の一方側に着脱可能に設けられた一対の下肢状部４と、胴状部２の一方側と反対側の他方側に設けられた頭部ユニット５と、を備え、頭部ユニット５は、胴状部２から他方側に延びる支柱部５０と、支柱部５０の他方側に取り付けられる半頭部５９と、互いに回動可能に連結された上顎模型６１及び下顎模型７１を有して支柱部５０の中間部に支持される咬合器６０と、半頭部５９に着脱可能に被せられ、口を模した口状部１２０Ｋが咬合器６０の前方にて開口するとともに、人間の顔を模したマスク１２０とを備えることを特徴とする。【選択図】図１
2015158592.tif 000002
【特許請求の範囲】
【請求項１】
人間の胴部を模した胴状部と、
人間の上肢を模して前記胴状部の側部に着脱可能に設けられた一対の上肢状部と、
人間の下肢を模して前記胴状部の一方側に着脱可能に設けられた一対の下肢状部と、
前記胴状部の前記一方側と反対側の他方側に設けられた頭部ユニットとを備え、
前記頭部ユニットは、
前記胴状部から前記他方側に延びる支柱部と、
前記支柱部の前記他方側に取り付けられる半頭部と、
互いに回動可能に連結された上顎模型及び下顎模型を有して前記支柱部の中間部に支持される咬合器と、
前記半頭部に着脱可能に被せられ、口を模した口状部が前記咬合器の前方にて開口するとともに、人間の顔を模したマスクとを備えることを特徴とする歯科用マネキン。
【請求項２】
前記咬合器が前記支柱部に位置調整可能に支持されていることを特徴とする請求項１に記載の歯科用マネキン。
【請求項３】
前記咬合器は、
前記上顎模型と前記下顎模型とを互いに回動可能に連結する回動軸と、
前記上顎模型及び前記下顎模型のいずれか一方に連結されるとともに、スリットが形成されたスリット形成部材と、
前記スリットに挿通されるとともに前記上顎模型及び前記下顎模型のいずれか他方に螺合され螺合状態によって前記スリット形成部材に対する摩擦力を調整可能なネジ部材とを有することを特徴とする請求項１または２に記載の歯科用マネキン。
【請求項４】
前記ネジ部材は、前記ネジ部材の軸線方向に交差して互いに反対方向に延びて少なくとも一対の操作片を有することを特徴とする請求項３に記載の歯科用マネキン。
【請求項５】
前記下顎模型は、前記下顎模型の内縁に沿って設けられ人間の歯列を模した歯列状部と、前記歯列状部の内側に設けられ人間の舌を模した舌状部とを有し、
前記歯列状部と前記舌状部との間には、間隙が形成されていることを特徴とする請求項１から４のいずれか一項に記載の歯科用マネキン。
【発明の詳細な説明】
【技術分野】
【０００１】
本発明は、歯科用マネキンに関する。
【背景技術】
【０００２】
一般に、歯科分野において、歯科医等は治療、研究等のために、歯の設けられた顎運動が可能とされた咬合器を利用することがある。咬合器としては、下側フレームに支持された下顎模型と、下顎模型の上方に配置されるとともに上側フレームに支持された上顎模型と、下顎フレームと上顎フレームとを回動可能に連結するボルト・ナットとを備えたものが提案されている。
このような咬合器において、上顎模型と下顎模型との間に治具を挿入して、下顎フレームと上顎フレームとを相対的に回動させる。これにより、上顎模型の前側と下顎模型の前側とは離間するため、歯科医等は上顎模型及び下顎模型に設けられた歯に対して、検診、治療する実習をすることができる（下記特許文献１参照）。
【０００３】
また、顎模型の設けられた頭部ユニットと、頭部ユニットを収容可能とされた容器とを備え、容器が胴体を模した歯科実習用マネキンが提案されている（下記特許文献２参照）。
【先行技術文献】
【特許文献】
【０００４】
【特許文献１】特開２０１１−１３９８８３号公報
【特許文献２】実開昭６４−５５９６１号公報
【発明の概要】
【発明が解決しようとする課題】
【０００５】
ところで、現実の歯科作業では、人間が胴、左右一対の上肢、左右一対の下肢及び頭部等の部位を有しているため、歯科医はこれらの部位をよけながら作業を行う必要がある。しかしながら、上記の特許文献１に記載の咬合器及び特許文献２に記載の歯科実習用マネキンでは、これらの部位の一部しか備えていないため、このような現実に近い作業を再現することができないという問題点がある。
【０００６】
本発明は、上記事情に鑑みてなされたものであり、より現実に近い状態で実習することができる歯科用マネキンを提供するものである。
【課題を解決するための手段】
【０００７】
本発明は、上記課題を解決するため、以下の手段を採用する。
すなわち、本発明の歯科用マネキンは、人間の胴部を模した胴状部と、人間の上肢を模して前記胴状部の側部に着脱可能に設けられた一対の上肢状部と、人間の下肢を模して前記胴状部の一方側に着脱可能に設けられた一対の下肢状部と、前記胴状部の前記一方側と反対側の他方側に設けられた頭部ユニットとを備え、前記頭部ユニットは、前記胴状部から前記他方側に延びる支柱部と、前記支柱部の前記他方側に取り付けられる半頭部と、互いに回動可能に連結された上顎模型及び下顎模型を有して前記支柱部の中間部に支持される咬合器と、前記半頭部に着脱可能に被せられ、口を模した口状部が前記咬合器の前方にて開口するとともに、人間の顔を模したマスクとを備えることを特徴とする。
【０００８】
このように構成された歯科用マネキンでは、人間の胴部を模した胴状部と、人間の上肢を模した一対の上肢状部と、人間の下肢を模した一対の下肢状部と、胴状部に設けられた頭部ユニットとを備えるため、より現実の人間に近い状態で実習することができる。
また、人間の顔を模して半頭部に着脱可能に被せられ、口を模した口状部が咬合器の前方にて開口するマスクを有するため、より人間に近い状態で、口腔内検査等の実習を行うことができる。よって、例えば、遺体の身元確認作業の実習用と使用する場合に、マスクを高度損壊遺体等を模したものとすれば、死体としてのリアリティーを出すことができる。
【０００９】
また、本発明の歯科用マネキンは、前記咬合器が前記支柱部に位置調整可能に支持されていることが好ましい。
【００１０】
このように構成された歯科用マネキンでは、半頭部に被せるマスクによって口状部の位置が異なる場合に、口状部の位置に咬合器の位置を合わせることができる。
【００１１】
また、本発明の歯科用マネキンは、前記咬合器は、前記上顎模型と前記下顎模型とを互いに回動可能に連結する回動軸と、前記上顎模型及び前記下顎模型のいずれか一方に連結されるとともに、スリットが形成されたスリット形成部材と、前記スリットに挿通されるとともに前記上顎模型及び前記下顎模型のいずれか他方に螺合され螺合状態によって前記スリット形成部材に対する摩擦力を調整可能なネジ部材とを有していてもよい。
【００１２】
このように構成された歯科用マネキンでは、上顎模型と下顎模型とが回動軸を中心に相対的に回動する。この際に、上顎模型及び下顎模型のいずれか一方（ここでは、便宜上「下顎模型」とする）に設けられたスリット形成部材に形成されたスリット内を、上顎模型及び下顎模型の他方（ここでは、便宜上「上顎模型」とする）に螺合されたネジ部材が移動する。ネジ部材は、螺合状態によってスリット形成部材に対する摩擦力を調整可能であるため、上顎模型及び下顎模型を回動させる際に要する力の強弱を容易に調整することができる。
【００１３】
また、本発明の歯科用マネキンは、前記ネジ部材は、前記ネジ部材の軸線方向に交差して互いに反対方向に延びて少なくとも一対の操作片を有していてもよい。
【００１４】
このように構成された歯科用マネキンでは、ネジ部材がその軸線方向に交差して互いに反対方向に延びて少なくとも一対の操作片を有するため、ネジ部材の螺合操作時および螺合解除操作の操作性が向上する。
【００１５】
また、本発明の歯科用マネキンは、前記下顎模型は、前記下顎模型の内縁に沿って設けられ人間の歯列を模した歯列状部と、前記歯列状部の内側に設けられ人間の舌を模した舌状部とを有し、前記歯列状部と前記舌状部との間には、間隙が形成されていてもよい。
【００１６】
このように構成された歯科用マネキンでは、歯列状部と舌状部との間には間隙が形成される。よって、例えば、間隙に緩衝物を挿入して、歯列状部のエックス線撮影や口腔内写真撮影の実習をすることができる。
【発明の効果】
【００１７】
本発明に係る歯科用マネキンによれば、より現実に近い状態で実習することができる。
【図面の簡単な説明】
【００１８】
【図１】一実施形態に係る歯科用マネキンの正面図である。
【図２】一実施形態に係る歯科用マネキンの胴状部と下肢状部の連結部分の拡大図である。
【図３】一実施形態に係る歯科用マネキンの頭部ユニット周辺の正面図である。
【図４】一実施形態に係る歯科用マネキンからマスクを取り外した状態における頭部ユニットを後方から見た斜視図である。
【図５】一実施形態に係る歯科用マネキンを構成する咬合器を後方から見た斜視図である。
【図６】一実施形態に係る歯科用マネキンを構成する咬合器において、舌状部が下顎模型に沿って配置された状態（通常の状態）の正面図である。
【図７】一実施形態に係る歯科用マネキンの歯列状部を構成する人間の歯を模した歯状部の正面図である。
【図８】一実施形態に係る歯科用マネキンを構成する咬合器において、舌状部の先端が持ち上がった状態の正面図である。
【図９】一実施形態に係る歯科用マネキンを構成する咬合器において、上顎模型と下顎模型とが閉じた状態の側面図である。
【図１０】一実施形態に係る歯科用マネキンを構成する咬合器において、上顎模型と下顎模型とが開いた状態の側面図である。
【図１１】一実施形態に係る歯科用マネキンを構成する咬合器において、人間の歯を模した他の形態を示す上面図である。
【発明を実施するための形態】
【００１９】
以下、添付図面を参照して、本発明の一実施形態に係る歯科用マネキンについて説明する。
図１は、一実施形態に係る歯科用マネキンの正面図である。
（歯科用マネキン）
図１に示すように、歯科用マネキン１は、人間の胴部を模した胴状部２と、胴状部２の側部に設けられた一対の上肢状部３と、胴状部２の下側（一方側）に設けられた一対の下肢状部４と、胴状部２の上側（他方側）に設けられた頭部ユニット５とを備えている。
この歯科用マネキン１は、人間と同じくらいの大きさに形成されている。本実施形態では、大人と同じくらいの大きさとされている。なお、子供と同じくらいの大きさ等個々の人間の大きさに対応可能である。
ここでは、便宜上、歯科用マネキン１において、下肢状部４側（図１に示す紙面下側）を下側とし、頭部ユニット５側（図１に示す紙面上側）を上側と称する。また、歯科用マネキン１自身における右側、つまり正面視左側（図１に示す紙面左側）を右側とし、歯科用マネキン１自身における左側、つまり正面視右側（図１に示す紙面右側）を左側と称する。
【００２０】
図２は、歯科用マネキン１の胴状部２と下肢状部４の連結部分の拡大図である。
図１及び図２に示すように、胴状部２の上側の左右両側部及び下側の左右両側部には、それぞれ第一フック１１が設けられている。第一フック１１は、環状に形成されている。
【００２１】
上肢状部３は、人間の上肢を模している。下肢状部４は、人間の下肢を模している。上肢状部３の上端及び下肢状部４の上端には、それぞれ第二フック１２が設けられている。第二フック１２は、一部が切り欠かれた環状に形成されている。詳細には、第二フック１２は、上肢状部３の上端及び下肢状部４の上端に設けられた基部１２Ａと、基部１２Ａから円弧状に形成された円弧部１２Ｂとを有している。第二フック１２の円弧部１２Ｂの先端は、基部１２Ａに接していない。これにより、円弧部１２Ｂの先端と基部１２Ａとの間には間隙１２Ｓが形成されている。
【００２２】
このように構成された胴状部２、上肢状部３及び下肢状部４において、胴状部２の上側の左右両側部にそれぞれ設けられた第一フック１１の環状部分内に、上肢状部３の上端に設けられた第二フック１２の先端を通す。また、胴状部２の下側の左右両側部にそれぞれ設けられた第一フック１１の環状部分内に、下肢状部４の上端に設けられた第二フック１２の先端を通す。これにより、第一フック１１と第二フック１２とが互いに係合し、胴状部２に上肢状部３及び下肢状部４が装着される。
【００２３】
第一フック１１の環状部分から第二フック１２の先端を外すと、第一フック１１と第二フック１２との係合が解除する。これにより、胴状部２から上肢状部３及び下肢状部４がそれぞれ取り外される。このようにして、胴状部２に対して、上肢状部３及び下肢状部４がそれぞれ着脱可能に設けられている。
【００２４】
なお、これら胴状部２に上肢状部３及び下肢状部４が装着された状態で、胴状部２、上肢状部３及び下肢状部４を覆うように衣類等を着せてもよい。
【００２５】
図３は、歯科用マネキン１の頭部ユニット５周辺の正面図である。図４は、歯科用マネキン１からマスク１２０（図１参照）を取り外した状態における頭部ユニット５を後方から見た斜視図である。
図３及び図４に示すように、胴状部２の上端には、上方に向かって延びる頭支持部２１が設けられている。この頭支持部２１は、筒状に形成され上下方向に延びる筒状部２１Ａと、筒状部２１Ａの上端に設けられた上壁部２１Ｂとを有している。上壁部２１Ｂには、上下方向に貫通する開口部２１Ｋが形成されている。この開口部２１Ｋは、筒状部２１Ａの内部と連通している。
【００２６】
（頭部ユニット）
頭部ユニット５は、胴状部２の頭支持部２１の上部に支持される支柱部５０と、支柱部５０の上部に取り付けられる半頭部５９と、支柱部５０の上下方向中間部に支持される咬合器６０と、半頭部５９に被せられたマスク１２０とを有している。
【００２７】
支柱部５０は、球状に形成されたジョイント部５１と、ジョイント部５１から上方に延びる支持杆５２とを有している。ジョイント部５１は、胴状部２の頭支持部２１の開口部２１Ｋから挿通され、頭支持部２１内に配置されている。
【００２８】
このジョイント部５１は、例えば頭支持部２１内に配置された付勢部（不図示）により、球状をなすジョイント部５１の中心に向かって付勢されている。これにより、支柱部５０が頭支持部２１から上方に延びるように取り付けられている。また、支柱部５０を頭支持部２１から前後左右の所望の方向に傾斜させて取り付けることも可能である。なお、支柱部５０の頭支持部２１に対する取付構造は、頭支持部２１に形成された取付孔（不図示）から挿通されたネジ（不図示）がジョイント部５１に螺合する構成等適宜選択可能である。このようにして、ジョイント部５１は、胴状部２に対して着脱可能に設けられている。
【００２９】
支持杆５２の上下方向中間部には、前方に向かって延びる取付体５５が設けられている。取付体５５は、咬合器６０にネジ５６Ｙで取り付けられる上プレート部５６と、上プレート部５６から下方に向かって屈曲したネジ取付プレート部５７と、ネジ取付プレート部５７の下端から前方に向かって延びる下プレート部５８とを有している。
【００３０】
上プレート部５６は、板状に形成され、水平面に沿って配置されている。この上プレート部５６には、上下方向に貫通する貫通孔５６Ｘが形成されている。
【００３１】
下プレート部５８は、板状に形成され、水平面に沿って配置されている。この下プレート部５８には、上下方向に貫通する貫通孔５８Ｘが形成されている。上プレート部５６の貫通孔５６Ｘ及び下プレート部５８の貫通孔５８Ｘには、それぞれ支持杆５２が挿通されている。
【００３２】
ネジ取付プレート部５７は、板状に形成され、鉛直面に沿って配置されている。このネジ取付プレート部５７には、前後方向に貫通する取付孔５７Ｘが形成されている。ネジ５７Ｙがこの取付孔５７Ｘに螺合されるとともに、ネジ５７Ｙの先端が支持杆５２を押圧している。これにより、取付体５５は胴状部２から上方に延びる支持杆５２に取り付けられている。
【００３３】
ネジ５７Ｙを緩めることにより、取付体５５は支持杆５２に対して上下方向に相対移動可能とされている。よって、取付体５５は、支持杆５２に対して上下方向の位置を調整可能に取り付けられる。
【００３４】
半頭部５９は、表面が半球状に形成されている。また、支持杆５２の上端には、板状に形成され、左右方向に延びるように配置された横プレート部５３が設けられている。半頭部５９の左右両側は、横プレート部５３の端部にネジ５３Ｙで取り付けられている。
【００３５】
図５は、歯科用マネキン１を構成する咬合器６０を後方から見た斜視図である。
（咬合器６０）
図５に示すように、咬合器６０は、上顎模型６１と、上顎模型６１の下方に配置された下顎模型７１と、上顎模型６１と下顎模型７１とを互いに回動可能に連結する回動軸８６と、下顎模型７１に設けられた連結バー１００（スリット形成部材）と、連結バー１００のスリット１００Ｔに挿通されたネジ部材１１０とを有している。
【００３６】
図６は、歯科用マネキン１を構成する咬合器６０の正面図である。図７は、歯科用マネキン１の歯列状部Ｌを構成する人間の歯を模した歯状部Ｈの正面図である。
図６に示すように、上顎模型６１は、人間の上顎を模している。上顎模型６１は、下顎模型７１と上下方向に対向する天部６３を有している。天部６３の内縁には、上方に向かって凹む凹部６３Ｐが複数形成されている。この凹部６３Ｐに人間の歯を模した歯状部Ｈ（図７参照）が着脱可能に嵌め込まれている。これにより、上顎模型６１の内縁に沿って、人間の複数の歯が並んだ歯列を模した歯列状部Ｌが形成されている。
【００３７】
本実施形態では、上顎模型６１の歯列状部Ｌの前歯部には、歯状部Ｈが１本設けられておらず、上方に向かって凹む凹部６３Ｐが露出している。つまり、上顎模型６１の歯列状部Ｌは、死後に前歯部の欠損した死後脱落した歯列を模している。
なお、欠損している歯は前歯部に限られない。歯列状部Ｌのうち所定の位置の歯状部Ｈを凹部６３Ｐから外すことにより、当該所定の位置の歯が死後脱落した状態を模すことができる。
【００３８】
下顎模型７１は、人間の下顎を模している。下顎模型７１は、上顎模型６１と上下方向に対向する底部７３を有している。底部７３の内縁には、下方に向かって凹む凹部７３Ｐが複数形成されている。この凹部７３Ｐに歯状部Ｈが着脱可能に嵌め込まれている。これにより、下顎模型７１の内縁に沿って、歯列状部Ｌが形成されている。
【００３９】
本実施形態では、下顎模型７１の歯列状部Ｌの左側且つ後側には、歯状部Ｈが１本設けられておらず、凹部７３Ｐが露出している。また、この歯状部Ｈが設けられていない部分の前側には、人間の義歯を模した２本の義歯状部Ｇが、それぞれ凹部７３Ｐに着脱可能に嵌め込まれている。また、下顎模型７１の歯列状部Ｌの右側の後側から２番目には、義歯状部Ｇが凹部７３Ｐに着脱可能に嵌め込まれている。つまり、下顎模型７１の歯列状部Ｌは、義歯が設けられるとともに奥歯の死後脱落した歯列を模している。
【００４０】
また、下顎模型７１の底部７３の後側には、人間の舌を模した舌状部７６が設けられている。舌状部７６は、下顎模型７１の歯列状部Ｌの内側に配置されている。この舌状部７６と歯列状部Ｌとの間には、間隙７６Ｓが形成されている。
【００４１】
図８は、歯科用マネキン１を構成する咬合器６０において、舌状部７６の先端が持ち上がった状態の正面図である。
図８に示すように、舌状部７６の先端を持ち上げると、舌状部７６の先端側は下顎模型７１の底部７３から離れる。舌状部７６は、後方から前方に向かうにしたがって次第に上方に向かうように傾斜している。
【００４２】
図５及び図６に示すように、上顎模型６１と下顎模型７１とは、後側から両側面及び正面にわたって表皮材７９で一体的に覆われている。表皮材７９の正面には、開口部７９Ｋが形成されている。表皮材７９は、開口部７９Ｋの周りで外側に折り返されている。この折り返された部分７９Ｒは、人間の唇を模している。
【００４３】
図５に示すように、上顎模型６１の後側には、表皮材７９を介して上側フレーム８０が設けられている。上側フレーム８０は、上取付フレーム部８１と、外側フレーム部８２とを有している。
【００４４】
上取付フレーム部８１は、板状に形成され、上顎模型６１の後部に沿って配置されている。上取付フレーム部８１は、ネジ８１Ｙで上顎模型６１の後部に取り付けられている。
【００４５】
外側フレーム部８２は、板状に形成され、上取付フレーム部８１の左右両端からそれぞれ後方に向かって延びている。外側フレーム部８２には、後述する回動軸８６取付用の左右方向に貫通する取付孔８２Ｘが形成されている。
【００４６】
下顎模型７１の後側には、表皮材７９を介して下側フレーム９０が設けられている。下側フレーム９０は、下取付フレーム部９１と、内側フレーム部９２とを有している。
【００４７】
下取付フレーム部９１は、板状に形成され、下顎模型７１の後部に沿って配置されている。下取付フレーム部９１は、ネジ９１Ｙで下顎模型７１の後部に取り付けられている。
【００４８】
内側フレーム部９２は、板状に形成され、下取付フレーム部９１の左右両端からそれぞれ後方に向かって延びている。
【００４９】
一対の外側フレーム部８２の対向する面に沿って、それぞれ内側フレーム部９２が配置されている。また、内側フレーム部９２には、後述する回動軸８６取付用の左右方向に貫通する取付孔９２Ｘが形成されている。
【００５０】
回動軸８６は、外側フレーム部８２の取付孔８２Ｘから挿通されて、内側フレーム部９２の取付孔９２Ｘに螺合されている。回動軸８６は、外側フレーム部８２と内側フレーム部９２とを互いに回動可能に連結している。これにより、上側フレーム８０に取り付けられた上顎模型６１と下側フレーム９０に取り付けられた下顎模型７１とは、互いに前側どうしの当接した閉じた状態から前側どうしの開いた状態へと相対移動可能とされている。
【００５１】
連結バー１００は、板状に形成され、鉛直面に沿って配置されている。連結バー１００の下部には、取付孔１００Ｘが形成されている。この取付孔１００Ｘから挿通されたネジ１００Ｙが、下側フレーム９０の内側フレーム部９２に形成された取付孔９２Ｚに螺合さている。
【００５２】
この連結バー１００は、上顎模型６１の前側と下顎模型７１の前側とが当接した状態で、上下方向に延びている。連結バー１００の上側には、連結バー１００の延在方向に向かってスリット１００Ｔが形成されている。
【００５３】
ネジ部材１１０は、軸線方向に延びるネジ本体１１１と、ネジ本体１１１に設けられた台座部１１２と、ネジ本体１１１の一端に設けられた頭部１１３とを有している。
【００５４】
ネジ本体１１１は、連結バー１００のスリット１００Ｔに挿通され、先端が上側フレーム８０の外側フレーム部８２に螺合されている。この螺合状態で、ネジ本体１１１に設けられた台座部１１２は、連結バー１００におけるスリット１００Ｔ周辺の部分に当接している。
【００５５】
ネジ本体１１１の頭部１１３には、ネジ本体１１１の軸線方向と直交して互いに反対方向に延びる一対の操作片１１３Ｈが設けられている。
【００５６】
また、上顎模型６１に取り付けられた上側フレーム８０の外側フレーム部８２の上部には、対向する外側フレーム部８２側に向かって突出する突起部８２Ｔが形成されている。咬合器６０において、突起部８２Ｔは、回動軸８６よりも前側に設けられている。この突起部８２Ｔには、コイルバネ８７の一端が巻回されている。また、内側フレーム部９２に螺合されたネジ１００Ｙの先端には、コイルバネ８７の他端が巻回されている。上顎模型６１の前側と下顎模型７１の前側とが当接した状態で、コイルバネ８７は、上方に向かうにしたがって次第に後方に向かうように配置されている。
【００５７】
このコイルバネ８７により、突起部８２Ｔにはネジ１００Y側に向かう方向の付勢力が作用するとともに、ネジの先端には突起部８２Ｔ側に向かう付勢力が作用する。これにより、上顎模型６１の前側及び下顎模型７１の前側には、互いに近づく方向の向き、つまり閉じる向きの力が作用している。
【００５８】
図３に示すように、マスク１２０は、人間の顔を模して形成されている。本実施形態では、マスク１２０は、腐敗した遺体、水死体や焼死体等の高度損壊遺体の顔を模している。このマスク１２０には、開口部が形成されている。この開口部は、人間の口を模した口状部１２０Ｋとされている。
【００５９】
このマスク１２０は、半頭部５９から上顎模型６１及び下顎模型７１を覆う表皮材７９にわたって被せられている。口状部１２０Ｋは、表皮材７９の開口部７９Ｋに対応する位置に配置されている。これにより、口状部１２０Ｋの内部には、上顎模型６１及び下顎模型７１が配置されている。
【００６０】
また、表皮材７９の折り返された部分７９Ｒは、マスク１２０の口状部１２０Ｋの外縁に沿って配置されている。つまり、表皮材７９は、マスク１２０の口状部１２０Ｋの外縁に沿って折り返されている。これにより、マスク１２０が、上顎模型６１及び下顎模型７１から抜け落ちることが抑制されている。
【００６１】
次に、上記のように構成された咬合器６０における開閉動作について説明する。
図９は、歯科用マネキン１を構成する咬合器６０において、上顎模型６１と下顎模型７１とが閉じた状態の側面図である。図１０は、歯科用マネキン１を構成する咬合器６０において、上顎模型６１と下顎模型７１とが開いた状態の側面図である。
【００６２】
図９に示すように、上顎模型６１の歯列状部Ｌと下顎模型７１の歯列状部Ｌとが噛み合うように当接した状態とする。この状態において、連結バー１００のスリット１００Ｔに挿通されたネジ部材１１０の一対の操作片１１３Ｈを回して、ネジ部材１１０を上側フレーム８０の外側フレーム部８２に螺合させる。この螺合状態では、ネジ部材１１０は、先端が上顎模型６１に取り付けられた上側フレーム８０に螺合されるとともに、台座部１１２が連結バー１００をネジ部材１１０の先端側に向かって押圧している。よって、この状態では、上顎模型６１と下顎模型７１とを互いに離間させようとしても、台座部１１２と連結バー１００との間に生じる摩擦力により、上顎模型６１と下顎模型７１とは容易に離間しない。
【００６３】
一方、上顎模型６１の前側と下顎模型７１との前側の隙間から治具等を挿入し、両者を離間する方向に力を与える。台座部１１２と連結バー１００との間に生じる摩擦力以上に大きい力が台座部１１２と連結バー１００との間に作用すれば、台座部１１２と連結バー１００とは互いに摺動可能となる。これにより、上顎模型６１と下顎模型７１とは、回動軸８６を中心として、互いに前側を離間させるように回動するとともに、ネジ部材１１０が連結バー１００のスリット１００Ｔ内を移動する。
【００６４】
そして、図１０に示すように、上顎模型６１と下顎模型７１とが開いた状態になる。この状態で、上顎模型６１と下顎模型７１とを離間する方向の力を与えないと、上顎模型６１及び下顎模型７１の回動は停止する。停止した位置において、上顎模型６１と下顎模型７１とを互いに離間しようとしても、台座部１１２と連結バー１００との間に生じる摩擦力により、上顎模型６１と下顎模型７１とは容易に離間しないようになる。
【００６５】
この状態において、ネジ部材１１０の操作片１１３Ｈを回してネジ部材１１０と外側フレーム部８２との螺合を解除すると、コイルバネ８７の付勢力により、上顎模型６１と下顎模型７１とは互いに近づく向き回動する。
【００６６】
このように構成された歯科用マネキン１では、人間の胴部を模した胴状部２と、人間の上肢を模した一対の上肢状部３と、人間の下肢を模した一対の下肢状部４と、胴状部２に設けられた頭部ユニット５とを備えるため、より現実の人間に近い状態で実習することができる。
【００６７】
また、人間の顔を模して半頭部５９に着脱可能に被せられ、口を模した口状部１２０Ｋが咬合器６０の前方にて開口するマスク１２０を有するため、より人間に近い状態で、口状部１２０Ｋ内の検査、調査等の実習を行うことができる。よって、本実施形態のように腐敗した遺体、水死体や焼死体等の高度損壊遺体の顔を模したマスク１２０を被せれば、遺体の身元確認作業の実習用と使用することができ、死体としてのリアリティーを出すことができる。
【００６８】
また、胴状部２に対して、上肢状部３、下肢状部４及び頭部ユニット５は着脱可能であるため、容易に運搬をすることができる。さらに、例えばいずれか一方の上肢状部３（又は下肢状部４）が胴状部２から取り外した状態で使用すれば、片方の上肢が欠損した人間を模した歯科用マネキン１として実習をすることもできる。
【００６９】
また、咬合器６０の取り付けられた取付体５５のネジ５７Ｙを緩めて、取付体５５を支持杆５２に対して上下方向に移動させることができる。よって、半頭部５９に被せるマスク１２０によって口状部１２０Ｋの位置が異なる場合に、口状部１２０Ｋの位置に咬合器６０の位置を合わせることができる。
【００７０】
また、上顎模型６１と下顎模型７１とが回動軸８６を中心に相対的に回動する。この際に下顎模型７１に設けられた連結バー１００に形成されたスリット１００Ｔ内を、上顎模型６１に螺合されたネジ部材１１０が移動する。ネジ部材１１０は、螺合状態によって連結バー１００に対する摩擦力を調整可能であるため、上顎模型６１及び下顎模型７１を回動させる際に要する力の強弱を容易に調整することができる。
よって、ネジ部材１１０を上顎模型６１に取り付けられた上側フレーム８０に強く螺合すれば、上顎模型６１と下顎模型７１とは容易には離間しないため、死後硬直した死体の上顎と下顎としての実習をすることができる。
【００７１】
また、ネジ部材１１０がその軸線方向に交差して互いに反対方向に延びて少なくとも一対の操作片１１３Ｈを有するため、ネジ部材１１０の螺合操作時および螺合解除操作の操作性が向上する。
【００７２】
また、歯列状部Ｌと舌状部７６との間には間隙７６Ｓが形成されるため、間隙７６Ｓに緩衝物を挿入することができる。例えば、緩衝物として、エックス線フィルム、ＣＣＤセンサー、ＩＰやミラー等を間隙７６Ｓに挿入して、歯列状部Ｌのエックス線撮影や口腔内写真撮影の実習をすることができる。
【００７３】
また、上顎模型６１はネジ８１Ｙを緩めることにより、上側フレーム８０から取り外される。また、下顎模型７１はネジ９１Ｙを緩めることにより、下側フレーム９０から取り外される。これにより、一の咬合器６０の上顎模型６１及び下顎模型７１と、他の咬合器６０の上顎模型６１及び下顎模型７１と交換して、上顎模型６１と下顎模型７１の組み合わせを適宜設定することができる。つまり、上顎模型６１に設けられた歯列状部Ｌと下顎模型７１に設けられた歯列状部Ｌとの組み合わせが変更可能である。よって、様々な歯列状部Ｌを対象として実習をすることができる。
【００７４】
また、一の上顎模型６１の歯状部Ｈと、他の上顎模型６１の歯状部Ｈとは交換可能であるため、様々な歯列状部Ｌを対象として実習をすることができる。
【００７５】
また、上述した実施の形態において示した各構成部材の諸形状や組み合わせ等は一例であって、本発明の主旨から逸脱しない範囲において設計要求等に基づき種々変更可能である。
【００７６】
例えば、図１１に示すように、歯列状部Ｌ（図６参照）の一部を、複数の人工歯Ｉの並んだ局部床義歯ユニットＴとすることもできる。局部床義歯ユニットＴの端部には、金属の係合部Ｔ１が設けられている。この係合部Ｔ１を隣接する歯状部Ｈ（図６参照）に係合させることで、局部床義歯ユニットＴは装着可能とされている。
【００７７】
また、保存修復や補綴治療された歯、根管充填された歯、歯石の沈着した歯、インプラント等、個々の人間歯を模した歯状部Ｈを配置することにより、より現実の人間に近い状態で実習することができる。
【００７８】
また、胴状部２、上肢状部３や下肢状部４等にけがや刺し傷を模したものを設ければ、傷の種類、状態から死因特定の実習をすることができる。
【００７９】
また、上肢状部３及び下肢状部４は胴状部２に対して、第一フック１１と第二フック１２との係合及び係合解除により着脱可能とされているが、本発明はこれに限られない。例えば、上肢状部３（又は下肢状部４）の上端に凹部（不図示）を設け、胴状部２側に凹部に対応する凸部（不図示）を設ける構成であってもよい。この場合には、これら凹部と凸部との嵌合及び嵌合解除により着脱可能とされている。なお、上肢状部３（又は下肢状部４）側に凸部を設け、胴状部２側に凹部を設ける構成であってもよい。
【００８０】
また、上記に示す実施形態においては、頭部ユニット５が胴状部２に対して着脱可能に設けられているが本発明はこれに限られない。頭部ユニット５と胴状部２とが一体に形成されている等、頭部ユニット５が胴状部２に対して着脱できない構成であってもよい。
【００８１】
また、上記に示す実施形態においては、連結バー１００は下顎模型７１に設けられているが、本発明はこれに限られない。連結バー１００は、下顎模型７１及び上顎模型６１のいずれか一方に設けられていればよいため、上顎模型６１に設けられていてもよい。この場合には、ネジ部材１１０は下顎模型７１に設けられていればよい。
【００８２】
また、上記に示す実施形態においては、ネジ本体１１１の頭部１１３に設けられた操作片１１３Ｈは、一対設けられているが、本発明はこれに限られない。操作片１１３Ｈは、ネジ本体１１１の軸線方向と交差するとともに互いに反対方向に延びていれば、一対以上設けられていてもよい。
【００８３】
また、上記に示す実施形態においては、ネジ部材１１０のネジ本体１１１と台座部１１２とは一体に形成されているが、これらが別体で構成されていてもよい。例えば、ネジ本体は、先端側で縮径に形成されるとともに頭部１１３側で拡径に形成され、これらの境界部分は段部とされ、台座部（ワッシャ―）には、貫通孔が形成されており、台座部１１２がネジの段部の縮径側に沿って配置されている構成であってもよい。
【符号の説明】
【００８４】
１…歯科用マネキン  ２…胴状部  ３…上肢状部  ４…下肢状部  ５…頭部ユニット  １１…第一フック  １２…第二フック  １２Ａ…基部  １２Ｂ…円弧部  １２Ｓ…間隙  ２１…頭支持部  ２１Ｋ…開口部  ５０…支柱部  ５１…ジョイント部  ５２…支持杆  ５３…横プレート部  ５５…取付体  ５６…上プレート部  ５７…取付プレート部  ５８…下プレート部  ５９…半頭部  ６０…咬合器  ６１…上顎模型    ６３…天部  ６３Ｐ…凹部  ７１…下顎模型    ７３…底部  ７３Ｐ…凹部  ７６…舌状部  ７６Ｓ…間隙  ７９…表皮材  ７９Ｋ…開口部  ８０…上側フレーム  ８１…上取付フレーム部  ８２…外側フレーム部  ８２Ｔ…突起部  ８６…回動軸  ８７…コイルバネ  ９０…下側フレーム  ９１…下取付フレーム部  ９２…内側フレーム部  １００…連結バー  １００Ｔ…スリット  １１０…ネジ部材  １１１…ネジ本体  １１２…台座部  １１３…頭部  １１３Ｈ…操作片  １２０…マスク  １２０Ｋ…口状部  Ｈ…歯状部  Ｇ…義歯状部  Ｌ…歯列状部
【図１】
2015158592.tif 000003
【図２】
2015158592.tif 000004
【図４】
2015158592.tif 000005
【図５】
2015158592.tif 000006
【図６】
2015158592.tif 000007
【図７】
2015158592.tif 000008
【図８】
2015158592.tif 000009
【図９】
2015158592.tif 000010
【図１０】
2015158592.tif 000011
【図１１】
2015158592.tif 000012
【図３】
2015158592.tif 000013